(57)【要約】【課題】通常のレジとセルフレジの両方で適宜使用することができる貨幣処理装置を提供すること。【解決手段】貨幣処理装置１００，２００は、貨幣を投入するための入金部１０１，２０１と、入金部１０１，２０１に投入された貨幣を搬送する搬送部１０３，２０３と、入金部１０１，２０１に投入された貨幣を識別して計数する識別計数部１０４，２０４と、搬送部１０３，２０３で搬送された貨幣を収納する収納部１０６，２０６と、を備える。貨幣処理装置１００，２００は、少なくとも、待機中に入金部１０１，２０１から投入された貨幣を識別計数部１０４，２０４で識別して計数する第１の処理モード又は待機中に該入金部１０１，２０１に投入された貨幣を強制的に返却する第２の処理モードで貨幣処理装置１００，２００を制御する制御部Ｃ１，Ｃ２も備える。貨幣処理装置１００，２００は、第１の処理モードと第２の処理モードとの間で切り替え可能となっている。【選択図】図１
2013161414.tif 000002
【特許請求の範囲】
【請求項１】
貨幣を処理する貨幣処理装置において、
貨幣を投入するための入金部と、
前記入金部に投入された貨幣を搬送する搬送部と、
前記入金部に投入された貨幣を識別して計数する識別計数部と、
前記搬送部で搬送された貨幣を収納する収納部と、
少なくとも、待機中に前記入金部から投入された貨幣を前記識別計数部で識別して計数する第１の処理モード又は待機中に該入金部に投入された貨幣を強制的に返却する第２の処理モードで前記貨幣処理装置を制御する制御部と、を備え、
前記第１の処理モードと前記第２の処理モードとの間で切り替え可能となっていることを特徴とする貨幣処理装置。
【請求項２】
前記第２の処理モードにおいて、強制返却動作中であっても、入金処理を指示する入金コマンド及び出金処理を指示する出金コマンドの少なくともいずれか一方を受け付けることを特徴とする請求項１に記載の貨幣処理装置。
【請求項３】
前記貨幣は硬貨からなり、
前記入金部は、硬貨を投入するための投入口と、該投入口に投入された硬貨を前記搬送部に繰り出すための操出部と、を有し、
前記操出部は、前記第２の処理モードであって入金処理を行っている際に、前記硬貨を前記搬送部に繰り出すための動作を連続して行うことを特徴とする請求項１又は２のいずれかに記載の貨幣処理装置。
【請求項４】
前記識別計数部は、前記第２の処理モードにおいて、前記第１の処理モードにおける識別レベルと異なる識別レベルで前記入金部に投入された貨幣の識別を行うことを特徴とする請求項１乃至３のいずれか１項に記載の貨幣処理装置。
【請求項５】
前記第１の処理モードと前記第２の処理モードの切り替えを指示する切替入力部をさらに備えたことを特徴とする請求項１乃至４のいずれか１項に記載の貨幣処理装置。
【請求項６】
前記第１の処理モードと前記第２の処理モードの切り替えを指示する信号を受信する受信部と、
前記受信部で受信された信号に基づいて、前記第１の処理モードと前記第２の処理モードの切り替えを指示する切替指示部と、
をさらに備えたことを特徴とする請求項１乃至４のいずれか１項に記載の貨幣処理装置。
【請求項７】
接続先の装置の種類を判別する装置判別部と、
前記装置判別部によって判別された装置の種類に基づいて、前記第１の処理モードと前記第２の処理モードの切り替えを指示する切替指示部と、
をさらに備えたことを特徴とする請求項１乃至４のいずれか１項に記載の貨幣処理装置。
【請求項８】
前記制御部は、外部装置から入力される入金情報を受け付けるとともに前記入金部から投入された貨幣を前記収納部へ前記搬送部で搬送する第３の処理モードで前記貨幣処理装置を制御することができ、
前記第３の処理モードにも切り替え可能となっていることを特徴とする請求項１乃至７のいずれか１項に記載の貨幣処理装置。
【請求項９】
前記第１の処理モードにおいて第一の表示態様で表示を行い、前記第２の処理モードにおいて該第一の表示態様と異なる第二の表示態様で表示を行う表示部をさらに備えたことを特徴とする請求項１乃至８のいずれか１項に記載の貨幣処理装置。
【発明の詳細な説明】
【技術分野】
【０００１】
本発明は、セルフレジシステムやセルフペイシステム等で用いることができる貨幣処理装置に関する。
【背景技術】
【０００２】
従来から、スーパーマーケット、コンビニストア等の商業施設において、商業施設の店員が貨幣処理装置を用いて、商品に付されたバーコードを読み取り、顧客から受け取った貨幣で精算処理を行うことが行われている。
【０００３】
これに対して、近年、一部のスーパーマーケット等において、顧客自身が貨幣処理装置で商品のバーコードを読み取って精算処理まで行うセルフレジシステム（例えば、特許文献１参照）や、商業施設の店員がバーコード読取機で商品のバーコードを読み取り、顧客が精算機で精算処理を行うセルフペイシステムが導入されている。
【０００４】
上述したセルフレジシステムで用いられる貨幣処理装置（以下「セルフ専用貨幣処理装置」という。）は専用機として製品化されている。このため、セルフ専用貨幣処理装置を通常のレジで使用することはできない。
【０００５】
この点、通常のレジで使用されている貨幣処理装置をセルフレジで用いることが想定される。しかしながら、このような貨幣処理装置をセルフレジで用いる場合には、操作に慣れていない顧客であっても貨幣を投入しやすくするためや、ゴミが入り込むことを防止したりするために、貨幣処理装置の投入口を投入口カバー部で覆う必要がある。そして、このような投入口カバー部が設けられることにより、貨幣（とりわけ硬貨）の投入口が隠れてしまう。その為、貨幣を投入すべきでないタイミングに、顧客が誤って貨幣を投入しても、誤りに気づかないことがある。また、顧客が誤りに気づいたとしても、顧客自身では貨幣を取り出すことができないので、店員を呼んで投入口カバー部を開けてもらう必要があり、非常に手間がかかってしまう。
【０００６】
ところで、セルフ専用貨幣処理装置の中には通常の貨幣処理装置と比較して高さが大きい縦型の構造をとっているものがある。このようなセルフ専用貨幣処理装置では、スペース等に関して、通常の薄型の貨幣処理装置との互換性に問題があった。
【０００７】
また、そもそも、２種類の貨幣処理装置を生産することは、生産管理上の無駄が発生する。
【先行技術文献】
【特許文献】
【０００８】
【特許文献１】特開２００４−０８６７２８号公報
【発明の概要】
【発明が解決しようとする課題】
【０００９】
上述したような点に鑑み、本発明は、通常のレジとセルフレジの両方で適宜使用することができる貨幣処理装置を提供することを目的とする。
【課題を解決するための手段】
【００１０】
本発明の貨幣処理装置は、
貨幣を処理する貨幣処理装置であって、
貨幣を投入するための入金部と、
前記入金部に投入された貨幣を搬送する搬送部と、
前記入金部に投入された貨幣を識別して計数する識別計数部と、
前記搬送部で搬送された貨幣を収納する収納部と、
少なくとも、待機中に前記入金部から投入された貨幣を前記識別計数部で識別して計数する第１の処理モード又は待機中に該入金部に投入された貨幣を強制的に返却する第２の処理モードで前記貨幣処理装置を制御する制御部と、を備え、
前記第１の処理モードと前記第２の処理モードとの間で切り替え可能となっている。
【００１１】
本発明の貨幣処理装置では、
前記第２の処理モードにおいて、強制返却動作中であっても、入金処理を指示する入金コマンド及び出金処理を指示する出金コマンドの少なくともいずれか一方を受け付けてもよい。
【００１２】
本発明の貨幣処理装置では、
前記貨幣は硬貨からなり、
前記入金部は、硬貨を投入するための投入口と、該投入口に投入された硬貨を前記搬送部に繰り出すための操出部と、を有し、
前記操出部は、前記第２の処理モードであって入金処理を行っている際に、前記硬貨を前記搬送部に繰り出すための動作を連続して行ってもよい。
【００１３】
本発明の貨幣処理装置では、
前記識別計数部は、前記第２の処理モードにおいて、前記第１の処理モードにおける識別レベルと異なる識別レベルで前記入金部に投入された貨幣の識別を行ってもよい
【００１４】
本発明の貨幣処理装置では、
前記第１の処理モードと前記第２の処理モードの切り替えを指示する切替入力部をさらに備えてもよい。
【００１５】
本発明の貨幣処理装置は、
前記第１の処理モードと前記第２の処理モードの切り替えを指示する信号を受信する受信部と、
前記受信部で受信された信号に基づいて、前記第１の処理モードと前記第２の処理モードの切り替えを指示する切替指示部と、
をさらに備えてもよい。
【００１６】
本発明の貨幣処理装置は、
接続先の装置の種類を判別する装置判別部と、
前記装置判別部によって判別された装置の種類に基づいて、前記第１の処理モードと前記第２の処理モードの切り替えを指示する切替指示部と、
をさらに備えてもよい。
【００１７】
本発明の貨幣処理装置では、
前記制御部は、外部装置から入力される入金情報を受け付けるとともに前記入金部から投入された貨幣を前記収納部へ前記搬送部で搬送する第３の処理モードで前記貨幣処理装置を制御することができ、
前記第３の処理モードにも切り替え可能となってもよい。
【００１８】
本発明の貨幣処理装置は、
前記第１の処理モードにおいて第一の表示態様で表示を行い、前記第２の処理モードにおいて該第一の表示態様と異なる第二の表示態様で表示を行う表示部をさらに備えてもよい。
【発明の効果】
【００１９】
本発明によれば、第１の処理モードと第２の処理モードとの間で切り替え可能となっており、第１の処理モードにおいては、制御部が待機中に入金部から投入された貨幣を識別計数部で識別するように貨幣処理装置を制御し、第２の処理モードにおいては、制御部が待機中に入金部に投入された貨幣を強制的に返却するように貨幣処理装置を制御する。
【００２０】
このため、本発明の貨幣処理装置は、通常のレジで使用することができるだけでなく、投入口が投入口カバー部に覆われたセルフレジとしても問題なく使用することができる。
【図面の簡単な説明】
【００２１】
【図１】本発明の実施の形態による貨幣処理システムの構成を示す概略図。
【図２】本発明の実施の形態による貨幣処理システムの信号の流れを説明するためのブロック図。
【図３】本発明の実施の形態による貨幣処理システムの外観を示した斜視図。
【図４】本発明の実施の形態による硬貨処理装置の硬貨投入口が投入口カバー部で覆われた様子を示した斜視図。
【図５】本発明の実施の形態の変形例１による貨幣処理システムの信号の流れを説明するためのブロック図。
【図６】本発明の実施の形態の変形例２による貨幣処理システムの信号の流れを説明するためのブロック図。
【図７】硬貨処理装置において、強制返却動作中に出金コマンドを受けた際の流れの一例を示したフロー図。
【図８】硬貨処理装置において、強制返却動作中に入金コマンドを受けた際の流れの一例を示したフロー図。
【発明を実施するための形態】
【００２２】
実施の形態
《構成》
以下、本発明に係る貨幣処理装置の実施の形態について、図面を参照して説明する。ここで、図１乃至図８は本発明の実施の形態を説明するための図である。なお、本願において「貨幣」とは「硬貨」と「紙幣」の両方を意味している。
【００２３】
図１に示すように、本実施の形態の貨幣処理システムは、貨幣を処理する貨幣処理装置１００，２００と、貨幣処理装置１００，２００の処理に対してコマンドを出したり貨幣処理装置１００，２００から情報を吸い上げたりする外部装置３００とを備えている。このうち貨幣処理装置１００，２００は、硬貨を処理する硬貨処理装置１００と、紙幣を処理する紙幣処理装置２００とを有している。また、外部装置は、セルフレジとして使用されるのであれば例えばセルフ用制御機器３００からなり（図１参照）、通常のレジとして使用されるのであれば例えばＰＯＳレジ（図示せず）からなる。なお、セルフ用制御機器３００はタッチパネル３０１を有しており、このタッチパネル３０１に現れたボタンに触れることで、セルフ用制御機器３００から貨幣処理装置１００，２００に対してコマンドを出すことができる。
【００２４】
図１に示すように、硬貨処理装置１００は、硬貨を投入するための硬貨入金部１０１と、硬貨入金部１０１に投入された硬貨を搬送する硬貨搬送部１０３と、硬貨入金部１０１に投入された硬貨の金種等を識別して計数する硬貨識別計数部１０４と、硬貨搬送部１０３で搬送された硬貨を金種別に収納する硬貨収納部１０６と、リジェクト硬貨や硬貨収納部１０６に収納されていた硬貨を出金するための硬貨出金部１０９と、を備えている。
【００２５】
図１に示すように、硬貨入金部１０１は、硬貨を受け入れる硬貨投入口１０２と、硬貨投入口１０２によって受け入れられた硬貨を機内に繰り入れる硬貨操出部１１１とを有している。また、硬貨収納部１０６は、必要に応じて硬貨収納部１０６から硬貨を繰り出す硬貨繰出部（図示せず）を有している。また、硬貨出金部１０９は、硬貨が出金される硬貨出金口１１０と、硬貨出金口１１０から硬貨が抜き取られたかを検知するための硬貨検知センサ（図示せず）とを有している。
【００２６】
また、図１に示すように、硬貨識別計数部１０４の下流側であって硬貨収納部１０６と硬貨出金部１０９の上流側には、硬貨搬送部１０３で搬送された硬貨を硬貨収納部１０６に搬送するか、硬貨出金部１０９に搬送するかを分ける硬貨分岐部１０５が設けられている。また、硬貨収納部１０６と硬貨出金部１０９との間には、硬貨収納部１０６から繰り出された硬貨を検出するとともに計数する払出硬貨検出部１０８が設けられている。
【００２７】
また、図１に示すように、硬貨処理装置１００は、待機中に硬貨入金部１０１から投入された硬貨を硬貨識別計数部１０４で識別して計数する「預かり金計数モード」（特許請求の範囲の「第１の処理モード」に該当する。）、待機中に硬貨入金部１０１に投入された硬貨を強制的に返却する「セルフモード」（特許請求の範囲の「第２の処理モード」に該当する。）、又は、ＰＯＳ等の外部装置から入力される入金情報を受け付けるとともに硬貨入金部１０１から投入された硬貨を硬貨収納部１０６へ硬貨搬送部１０３で搬送する「釣銭機モード」（特許請求の範囲の「第３の処理モード」に該当する。）で硬貨処理装置１００を制御する硬貨制御部Ｃ１を備えている。なお、「釣銭機モード」では硬貨入金部１０１に投入された硬貨の金種を識別して計数してもよいが、外部装置から入力された入金情報と識別計数した結果とを照らし合わせることは行われず、補充硬貨として硬貨収納部１０６に収納される。
【００２８】
なお、本実施の形態では、待機中に硬貨入金部１０１に投入された硬貨を強制的に返却する態様として、硬貨入金部１０１に投入された硬貨を硬貨出金部１０９から強制的に返却する態様を用いて説明するが、これに限られることはなく、硬貨出金部１０９とは別の硬貨リジェクト部（図示せず）を別途設け、硬貨入金部１０１に投入された硬貨を当該硬貨リジェクト部から強制的に返却するようにしてもよい。
【００２９】
また、図４に示すように、硬貨処理装置１００は、入出金に関する情報やエラー情報等を表示する硬貨表示部１６０を有する。
【００３０】
図２に示すように、硬貨制御部Ｃ１は、硬貨入金部１０１、硬貨搬送部１０３、硬貨識別計数部１０４、硬貨分岐部１０５、払出硬貨検出部１０８、硬貨出金部１０９、硬貨操出部１１１、硬貨表示部１６０及び後述する硬貨切替入力部１３０に接続され、これらと自在に信号のやりとりを行い制御することができる。
【００３１】
図１に示すように、紙幣処理装置２００は、紙幣を投入するための紙幣入金部２０１と、紙幣入金部２０１に投入された紙幣を搬送する紙幣搬送部２０３と、紙幣入金部２０１に投入された紙幣の金種等を識別して計数する紙幣識別計数部２０４と、紙幣搬送部２０３で搬送された紙幣を収納する紙幣収納部２０６と、リジェクト紙幣や紙幣収納部２０６に収納されていた紙幣を出金するための紙幣出金部２０９と、を備えている。
【００３２】
図１に示すように、紙幣入金部２０１は、紙幣を受け入れる紙幣投入口２０２と、紙幣投入口２０２によって受け入れられた紙幣を機内に繰り入れる紙幣操出部２１１とを有している。また、紙幣収納部２０６は、必要に応じて紙幣収納部２０６から紙幣を繰り出す紙幣繰出部（図示せず）を有している。また、紙幣出金部２０９は、紙幣が出金される紙幣出金口２１０と、紙幣出金口２１０から紙幣が抜き取られたかを検知するための紙幣検知センサ（図示せず）とを有している。
【００３３】
また、図１に示すように、紙幣搬送部２０３には、回収処理を行う際に紙幣収納部２０６から繰り出された紙幣を収納する回収カセット２２５が連結されている。なお、紙幣識別計数部２０４で識別された紙幣の金種を収納するための紙幣収納部２０６が満杯である場合には、この紙幣はオーバーフロー紙幣として、回収カセット２２５に収納される。
【００３４】
また、図１に示すように、紙幣搬送部２０３には、紙幣収納部２０６から繰り出された紙幣が、斜行等により紙幣識別計数部２０４によって金種を識別できない場合に、当該紙幣（出金リジェクト紙幣）を収納する出金リジェクト部２２０が連結されている。
【００３５】
また、図１に示すように、紙幣処理装置２００は、待機中に紙幣入金部２０１から投入された紙幣を紙幣識別計数部２０４で識別して計数する「預かり金計数モード」、待機中に紙幣入金部２０１に投入された紙幣を強制的に返却する「セルフモード」、又は、ＰＯＳ等の外部装置から入力される入金情報を受け付けるとともに紙幣入金部２０１から投入された紙幣を紙幣収納部２０６へ紙幣搬送部２０３で搬送する「釣銭機モード」で紙幣処理装置２００を制御する紙幣制御部Ｃ２を備えている。なお、「釣銭機モード」では紙幣入金部２０１に投入された紙幣の金種を識別して計数してもよいが、外部装置から入力された入金情報と識別計数した結果とを照らし合わせることは行われず、補充紙幣として紙幣収納部２０６に収納される。
【００３６】
なお、本実施の形態では、待機中に紙幣入金部２０１に投入された紙幣を強制的に返却する態様としては、紙幣入金部２０１に投入された紙幣を紙幣出金部２０９から強制的に返却する態様を用いて説明するが、これに限られることはなく、紙幣出金部２０９とは別の紙幣リジェクト部（図示せず）を別途設け、紙幣入金部２０１に投入された紙幣を当該紙幣リジェクト部から強制的に返却するようにしてもよい。
【００３７】
また、紙幣処理装置２００は、入出金に関する情報やエラー情報等を表示する紙幣表示部２６０を有する（図２参照）。
【００３８】
図２に示すように、紙幣制御部Ｃ２は、紙幣入金部２０１、紙幣搬送部２０３、紙幣識別計数部２０４、（図１では示していない）紙幣分岐部２０５、紙幣出金部２０９、紙幣操出部２１１、紙幣表示部２６０及び後述する紙幣切替入力部２３０に接続され、これらと自在に信号のやりとりを行い制御することができる。
【００３９】
本実施の形態では、硬貨入金部１０１及び紙幣入金部２０１が特許請求の範囲の「入金部」を構成し、硬貨搬送部１０３及び紙幣搬送部２０３が特許請求の範囲の「搬送部」を構成し、硬貨識別計数部１０４及び紙幣識別計数部２０４が特許請求の範囲の「識別計数部」を構成し、硬貨収納部１０６及び紙幣収納部２０６が特許請求の範囲の「収納部」を構成し、硬貨制御部Ｃ１及び紙幣制御部Ｃ２が特許請求の範囲の「制御部」を構成する。
【００４０】
なお、本実施の形態では、「貨幣処理装置」として硬貨処理装置１００と紙幣処理装置２００の両方を備えている態様を用いて説明しているが、これに限られることはない。例えば、特許請求の範囲の「貨幣処理装置」は硬貨処理装置１００だけから構成されていてもよいし、逆に、紙幣処理装置２００だけから構成されていてもよい。
【００４１】
また、本実施の形態では、硬貨制御部Ｃ１及び紙幣制御部Ｃ２の各々が「預かり金計数モード」、「セルフモード」及び「釣銭機モード」で制御することができるとしているが、これに限られることはない。例えば、硬貨制御部Ｃ１及び紙幣制御部Ｃ２の各々が「預かり金計数モード」及び「セルフモード」だけで制御することができるようになっていてもよいし、硬貨制御部Ｃ１及び紙幣制御部Ｃ２のどちらか一方が「預かり金計数モード」、「セルフモード」及び「釣銭機モード」で制御することができるが、他方が「預かり金計数モード」及び「セルフモード」だけで制御することができるようになっていてもよい。
【００４２】
貨幣処理装置１００，２００は、貨幣処理装置１００，２００内に貨幣を投入しやすくしたりゴミが入り込むことを防止したりするために投入口が投入口カバー部で覆われている。本実施の形態では、図３及び図４に示すように、硬貨処理装置１００の硬貨投入口１０２が投入口カバー部５０で完全に覆われて隠されている。なお、この投入口カバー部５０は、図４に示すように、硬貨を投入するためのカバー投入口５１と、カバー投入口５１に投入された硬貨を硬貨処理装置１００の硬貨投入口１０２まで案内する案内路５２とを有している。
【００４３】
本実施の形態の硬貨制御部Ｃ１は、「セルフモード」において強制返却動作中であっても、入金処理を指示する入金コマンドと出金処理を指示する出金コマンドのいずれも受け付ける。同様に、本実施の形態の紙幣制御部Ｃ２は、「セルフモード」において強制返却動作中であっても、入金処理を指示する入金コマンドと出金処理を指示する出金コマンドのいずれも受け付ける。
【００４４】
但し、このような態様に限られることはなく、「セルフモード」の強制返却動作中において、硬貨制御部Ｃ１の入金コマンド及び出金コマンドの受け付けと、紙幣制御部Ｃ２の入金コマンド及び出金コマンドの受け付けとは、適宜選択することができる。このようなコマンドの受け付けとしては、例えば、硬貨制御部Ｃ１及び紙幣制御部Ｃ２の各々が入金コマンドだけを受け付ける又は出金コマンドだけを受け付ける態様であってもよいし、また、硬貨制御部Ｃ１及び紙幣制御部Ｃ２のいずれか一方が入金コマンドだけを受け付け、他方が出金コマンドだけを受け付ける態様であってもよいし、また、硬貨制御部Ｃ１及び紙幣制御部Ｃ２のいずれか一方が入金コマンドと出金コマンドの両方を受け付け、他方が入金コマンド又は出金コマンドのいずれかのみを受け付ける態様であってもよい。
【００４５】
本実施の形態の硬貨操出部１１１は、「セルフモード」で入金処理を行っている際に、硬貨を硬貨搬送部１０３に繰り出すための動作を連続して行うように構成されている。
【００４６】
また、本実施の形態では、硬貨識別計数部１０４が「セルフモード」において、「預かり金計数モード」及び「釣銭機モード」における識別レベルと比較して高い識別レベルで硬貨入金部１０１に投入された硬貨の識別を行い、紙幣識別計数部２０４が「セルフモード」において、「預かり金計数モード」及び「釣銭機モード」における識別レベルと比較して高い識別レベルで紙幣入金部２０１に投入された紙幣の識別を行う。但し、このような態様に限られることはなく、硬貨識別計数部１０４及び紙幣識別計数部２０４のいずれか一方のみが「セルフモード」において、「預かり金計数モード」における識別レベルと比較して高い識別レベルで投入された貨幣の識別を行う態様であってもよい。なお、本実施の形態では、「預かり金計数モード」の識別レベルと「釣銭機モード」の識別レベルは同程度のものとなっている。
【００４７】
本実施の形態では、図２に示すように、硬貨処理装置１００が「預かり金計数モード」、「釣銭機モード」及び「セルフモード」の切り替えを指示する硬貨切替入力部１３０を備え、紙幣処理装置２００が「預かり金計数モード」、「釣銭機モード」及び「セルフモード」の切り替えを指示する紙幣切替入力部２３０を備えている。なお、本実施の形態では硬貨切替入力部１３０及び紙幣切替入力部２３０が特許請求の範囲の「切替入力部」を構成している。なお、このような切替入力部１３０，２３０は、貨幣処理装置１００，２００に設けられるスイッチからなってもよいし、貨幣処理装置１００，２００にタッチパネルが設けられ、そのタッチパネルに表示される選択ボタンからなってもよい。
【００４８】
本実施の形態の硬貨表示部１６０及び紙幣表示部２６０は、貨幣処理装置１００，２００のモードが、「預かり金計数モード」のときに第一の表示態様で表示を行い、「セルフモード」のときに第一の表示態様と異なる第二の表示態様で表示を行い、「釣銭機モード」のときに第一の表示態様及び第二の表示態様の各々と異なる第三の表示態様で表示を行うように構成されており、特許請求の範囲の「表示部」を構成している。表示態様としては、例えば、硬貨表示部１６０及び紙幣表示部２６０の表示画面の背景色が変わることで貨幣処理装置１００，２００がどのモードにあるかが示されてもよく、一例を取って説明すると、「預かり金計数モード」のときには画面の背景色が青色になり、「セルフモード」のときには画面の背景色が赤色になり、「釣銭機モード」のときには画面の背景色が黄色になるような態様が考えられる。
【００４９】
なお、表示部としては上述したような表示画面に限られることはなく、例えば、貨幣処理装置１００，２００に取り付けられたランプ４００（図３参照）が表示部を構成してもよい。
【００５０】
なお、本実施の形態では第三の表示態様が第一の表示態様及び第二の表示態様の各々と異なる態様を用いて説明するが、これに限られることはなく、例えば「預かり金計数モード」のときの第一の表示態様と「釣銭機モード」のときの第三の表示態様とは同じ表示態様であってもよい。
【００５１】
変形例１
上述した実施の形態では、硬貨切替入力部１３０及び紙幣切替入力部２３０によって、「預かり金計数モード」、「釣銭機モード」及び「セルフモード」の切り替えが行われる態様を用いて説明したが、このような態様に限られることはない。
【００５２】
一つの変形例としては、ＰＯＳやセルフ用制御機器３００等の外部装置からの信号を受けてモードが切り替わる態様であってもよい。
【００５３】
具体的には、図５に示すように、硬貨処理装置１００が、ＰＯＳやセルフ用制御機器３００等の外部装置から送信される、「預かり金計数モード」、「釣銭機モード」及び「セルフモード」の切り替えを指示する信号を受信する硬貨受信部１４０と、硬貨受信部１４０で受信された信号に基づいて「預かり金計数モード」、「釣銭機モード」及び「セルフモード」の切り替えを指示する硬貨切替指示部１４５とを備え、紙幣処理装置２００が、ＰＯＳやセルフ用制御機器３００等の外部装置から送信される、「預かり金計数モード」、「釣銭機モード」及び「セルフモード」の切り替えを指示する信号を受信する紙幣受信部２４０と、紙幣受信部２４０で受信された信号に基づいて「預かり金計数モード」、「釣銭機モード」及び「セルフモード」の切り替えを指示する紙幣切替指示部２４５とを備えてもよい。このような変形例１においては、硬貨受信部１４０及び紙幣受信部２４０が特許請求の範囲の「受信部」を構成し、硬貨切替指示部１４５及び紙幣切替指示部２４５が特許請求の範囲の「切替指示部」を構成している。
【００５４】
変形例２
また、別の変形例としては、接続された装置の種類に応じてモードが切り替わる態様であってもよい。
【００５５】
具体的には、図６に示すように、硬貨処理装置１００が、接続先の装置の種類を判別する硬貨装置判別部１５０と、硬貨装置判別部１５０によって判別された装置の種類に基づいて、「預かり金計数モード」又は「釣銭機モード」と「セルフモード」との切り替えを指示する硬貨切替指示部１４５とを備え、紙幣処理装置２００が、接続先の装置の種類を判別する紙幣装置判別部２５０と、紙幣装置判別部２５０によって判別された装置の種類に基づいて、「預かり金計数モード」又は「釣銭機モード」と「セルフモード」との切り替えを指示する紙幣切替指示部２４５とを備えてもよい。
【００５６】
そして、例えば、装置判別部１５０，２５０によって接続先の装置がＰＯＳであると判別されると硬貨処理装置１００及び紙幣処理装置２００が「預かり金計数モード」あるいは「釣銭機モード」となり、装置判別部１５０，２５０によって接続先の装置がセルフ用制御機器３００であると判別されると硬貨処理装置１００及び紙幣処理装置２００が「セルフモード」となる。
【００５７】
なお、「預かり金計数モード」と「釣銭機モード」との切替のために、硬貨処理装置１００及び紙幣処理装置２００の各々が「預かり金計数モード」と「釣銭機モード」の切替を行うための切替入力部１３０，２３０を有してもよいし（「実施の形態」参照）、ＰＯＳ等の外部装置から「預かり金計数モード」と「釣銭機モード」の切替を行うための信号を受ける受信部１４０，２４０を有し、受信部１４０，２４０で受信された信号に基づいて「預かり金計数モード」と「釣銭機モード」の切り替えを行うようにしてもよい（「変形例１」参照）。なお、ＰＯＳに接続された際に「預かり金計数モード」と「釣銭機モード」いずれのモードになるかについては、事前に設定されていてもよい。
【００５８】
なお、変形例２においては、硬貨装置判別部１５０及び紙幣装置判別部２５０が特許請求の範囲の「装置判別部」を構成し、硬貨切替指示部１４５及び紙幣切替指示部２４５が特許請求の範囲の「切替指示部」を構成している。
【００５９】
ところで、上述した実施の形態、変形例１及び変形例２では、硬貨処理装置１００及び紙幣処理装置２００の各々が同じ態様でモードを切り替える態様で説明したが、これに限られることはない。硬貨処理装置１００のモードの切り替えと紙幣処理装置２００のモードの切り替えは別々の手段で行われてもよく、例えば、硬貨処理装置１００は硬貨切替入力部１３０によってモードの切り替えが行われるが、紙幣処理装置２００はＰＯＳやセルフ用制御機器３００等の外部装置からの信号を受けてモードが切り替わるようになっていてもよい。
【００６０】
《作用・効果》
次に、上述した構成からなる本実施の形態による作用・効果について説明する。なお、説明を簡略化するため、以下では、「硬貨」と「紙幣」を区別せず「貨幣」として説明し、貨幣処理装置１００，２００の構成要素としても「入金部」、「搬送部」、「識別計数部」、「収納部」、「出金部」、「制御部」等、「硬貨」や「紙幣」といった文言をつけずに説明する。
【００６１】
本実施の形態では、貨幣処理装置１００，２００が「預かり金計数モード」、「セルフモード」及び「釣銭機モード」で切り替え可能となっている。このため、本実施の形態の貨幣処理装置１００，２００は、通常のレジとセルフレジの両方で適宜使用することができる。
【００６２】
また、本実施の形態の制御部Ｃ１，Ｃ２は、「セルフモード」において待機中になっている際に、入金部１０１，２０１に投入された貨幣を強制的に返却して出金部１０９，２０９から出金するように貨幣処理装置１００，２００を制御する。
【００６３】
このため、待機中の貨幣処理装置１００，２００に顧客等から貨幣が投入されたとしても、当該貨幣を強制的に返却して貨幣処理装置１００，２００から出金することができる。従って、投入口カバー部５０に覆われて硬貨投入口１０２が見えなくなっている本実施の形態のような硬貨処理装置１００であっても、待機中に顧客から投入された硬貨が硬貨投入口１０２で機内に取り込まれることなく留まってしまうことを防止することができる。なお、貨幣処理装置１００，２００は、何らかの処理が行われていない場合（後述する「強制返却動作」を除く）には待機中になっている。なお、セルフ用制御機器３００から入金コマンドを受けた後に貨幣が投入された場合には、当該貨幣を受け付けて入金処理を行う。
【００６４】
本実施の形態では、制御部Ｃ１，Ｃ２が「セルフモード」において強制的に貨幣を返却している際（強制返却動作中）に、入金処理を指示する入金コマンドと出金処理を指示する出金コマンドのいずれも受け付ける。このため、強制的に貨幣を返却していても、入金コマンド及び出金コマンドを拒否することなく、顧客等の操作者によるコマンドを適宜受け付けることができる。
【００６５】
本実施の形態では、「セルフモード」で入金処理を行っている際に、硬貨操出部１１１が硬貨を硬貨搬送部１０３に繰り出すための動作を連続して行う。このため、カバー投入口５１から投入され、硬貨投入口１０２までたどり着いた硬貨を常に崩すことができ、投入された硬貨が硬貨投入口１０２で残ってしまうことを防止することができる。
【００６６】
また、本実施の形態では、識別計数部１０４，２０４が「セルフモード」において、「預かり金計数モード」における識別レベルと比較して高い識別レベルで入金部１０１，２０１に投入された貨幣の識別を行う。このため、商業施設の店員等が関与せず顧客自らが精算処理を行う「セルフモード」において、偽造貨幣が用いられることを防止することができる。
【００６７】
また、本実施の形態では、貨幣処理装置１００，２００が「預かり金計数モード」、「釣銭機モード」及び「セルフモード」の切り替えを指示する切替入力部１３０，２３０を有している。このため、貨幣処理装置１００，２００で自在に「預かり金計数モード」、「釣銭機モード」及び「セルフモード」の切り替えを行うことができる。
【００６８】
この点、ＰＯＳやセルフ用制御機器３００等の外部装置からの信号を受けてモードを切り替える変形例１によれば、「預かり金計数モード」、「釣銭機モード」及び「セルフモード」の切り替えを、ＰＯＳやセルフ用制御機器３００等の外部装置によって自在に行うことができる。
【００６９】
また、接続された装置の種類に応じてモードが切り替わる変形例２によれば、貨幣装置を外部装置に接続するだけで、自動的に「預かり金計数モード」又は「釣銭機モード」と「セルフモード」との切り替えが行われ、操作者がモードを選択する手間がなくなり、モードを誤って選択してしまうリスクも減らすことができる。
【００７０】
また、本実施の形態の表示部は、貨幣処理装置１００，２００のモードが、「預かり金計数モード」のときに第一の表示態様で表示を行い、「セルフモード」のときに第一の表示態様と異なる第二の表示態様で表示を行い、「釣銭機モード」のときに第一の表示態様及び第二の表示態様の各々と異なる第三の表示態様で表示を行う。このため、操作者は、一目見て、貨幣処理装置１００，２００がどのモードにあるかを判別することができ、ひいてはモードの設定ミスを防止することができる。
【００７１】
《実施例》
次に、「セルフモード」における硬貨処理装置１００の処理態様について、一例を用いて説明する。
【００７２】
まず、硬貨処理装置１００において、強制返却動作中に出金コマンドを受けた際の流れの一例について、図７を用いて説明する。
【００７３】
待機中であるにも関わらず硬貨がカバー投入口５１から投入され、硬貨投入口１０２に達すると（図７の「Ｓ１」）、硬貨処理装置１００によって強制的に硬貨が返却される（強制返却される）。
【００７４】
そして、セルフ用制御機器３００から出金コマンドが出され（図７の「出金コマンド」）、硬貨制御部Ｃ１がこの出金コマンドを受けると、硬貨制御部Ｃ１は、一度、強制返却動作を停止させ（図７の「Ｓ２」）、それまでに強制返却された硬貨が硬貨出金口１１０から取り除かれるのを待つ。このように硬貨出金口１１０から硬貨が取り除かれたか否かの判断は、硬貨検知センサからの信号を受けた硬貨制御部Ｃ１で行われる。
【００７５】
硬貨出金口１１０から強制返却された硬貨が取り除かれると（図７の「Ｓ３」）、硬貨制御部Ｃ１は、硬貨処理装置１００を制御して、当該硬貨処理装置１００に出金処理をさせる。
【００７６】
そして、出金コマンドで指定された硬貨の全てが出金されると（図７の「Ｓ４」）、硬貨処理装置１００からセルフ用制御機器３００に対してリターン信号が送信される（図７の「リターン」）。その後、硬貨制御部Ｃ１は、当該硬貨が硬貨出金口１１０から取り除かれるのを待つ。
【００７７】
このように硬貨出金口１１０から硬貨が取り除かれると（図７の「Ｓ５」）、硬貨処理装置１００からセルフ用制御機器３００に対して硬貨が取り除かれた旨の信号が送信される（図７の「イベント」）。
【００７８】
その後、硬貨制御部Ｃ１は、再度、強制返却動作を開始し、待機中に投入された硬貨の全てを出金するまで強制返却動作を行う。
【００７９】
そして、当該硬貨の全てが出金されて強制返却動作が終了すると（図７の「Ｓ６」）、待機中になる。
【００８０】
次に、硬貨処理装置１００において、強制返却動作中に入金コマンドを受けた際の流れの一例について、図８を用いて説明する。
【００８１】
待機中であるにも関わらず硬貨がカバー投入口５１から投入され、硬貨投入口１０２に達すると（図８の「Ｓ１」）、硬貨処理装置１００によって強制的に硬貨が返却される（強制返却される）。
【００８２】
次に、セルフ用制御機器３００から入金開始コマンドが出されると（図８の「入金開始コマンド」）、硬貨処理装置１００は入金開始コマンドを受け付ける。そして、このように硬貨処理装置１００で入金開始コマンドが受け付けられると、硬貨処理装置１００からのリターン信号がセルフ用制御機器３００に送信される（図８の１回目の「リターン」）。
【００８３】
このような入金開始コマンドを受け付けても、硬貨制御部Ｃ１は、強制返却動作を継続して行わせ、待機中に投入された硬貨の全てを出金する。
【００８４】
このように強制返却動作が終了すると（図８の「Ｓ２」）、硬貨制御部Ｃ１は、強制返却された硬貨が硬貨出金口１１０から取り除かれるのを待つ。
【００８５】
硬貨出金口１１０から強制返却された硬貨が取り除かれると（図８の「Ｓ３」）、硬貨制御部Ｃ１は、硬貨処理装置１００を制御して、当該硬貨処理装置１００に入金処理をさせる。
【００８６】
硬貨処理装置１００による入金動作が完了すると（図８の「Ｓ４」）、硬貨制御部Ｃ１は入金待機状態となる。そして、硬貨制御部Ｃ１は、セルフ用制御機器３００から入金終了コマンドを受けることで（図８の「入金終了コマンド」）、入金処理を終了させる（図８の「Ｓ５」）。なお、硬貨処理装置１００で入金終了コマンドが受け付けられると、硬貨処理装置１００からのリターン信号がセルフ用制御機器３００に送信される（図８の２回目の「リターン」）。
【００８７】
その後、硬貨処理装置１００は待機中になる。
【００８８】
なお、図８に示した実施例では、上述した入金開始コマンド及び入金終了コマンドの各々が特許請求の範囲の「入金コマンド」になっている。
【００８９】
ところで、本実施の形態の貨幣処理装置１００，２００（セルフモード）は、顧客自身が貨幣処理装置で商品のバーコードを読み取って精算処理まで行うセルフレジシステムと、商業施設の店員がバーコード読取機で商品のバーコードを読み取り、顧客が精算機で精算処理を行うセルフペイシステムの両方に用いることができる。
【００９０】
また、「セルフモード」であっても、必ずしも顧客自身が操作するとは限らず、例えば顧客が操作に慣れていない高齢者である場合等には、商業施設の店員が本実施の形態の貨幣処理装置１００，２００を操作することも十分にありうる。
【符号の説明】
【００９１】
５０      投入口カバー部
５１      カバー投入口
５２      案内路
１０１    硬貨入金部
１０２    硬貨投入口
１０３    硬貨搬送部
１０４    硬貨識別計数部
１０６    硬貨収納部
１０９    硬貨出金部
１１０    硬貨出金口
１１１    硬貨操出部
１６０    硬貨表示部
２０１    紙幣入金部
２０２    紙幣投入口
２０３    紙幣搬送部
２０４    紙幣識別計数部
２０６    紙幣収納部
２０９    紙幣出金部
２１０    紙幣出金口
２１１    紙幣操出部
２６０    紙幣表示部
３００    セルフ用制御機器
３０１    タッチパネル
Ｃ１      硬貨制御部
Ｃ２      紙幣制御部
【図１】
2013161414.tif 000003
【図２】
2013161414.tif 000004
【図３】
2013161414.tif 000005
【図４】
2013161414.tif 000006
【図５】
2013161414.tif 000007
【図６】
2013161414.tif 000008
【図７】
2013161414.tif 000009
【図８】
2013161414.tif 000010